(57)【要約】【課題】基板収納ラックが備える板部材の間隔を精度よく調整できる器具を提供する。【解決手段】この器具１は、それぞれが一対のベース部材を跨ぐように設けられ、内面に複数の溝がそれぞれ形成された一対の板部材を備える基板収納ラックに好適である。一対の板部材の少なくとも一方は、互いの間隔が可変するようにベース部材に対して第１の方向にスライドする。この器具１は、搭載面１１を含む台盤１０と、スライド可能な一方の板部材を支持する支持部材３０であって、搭載面１１と平行に上下方向にスライドする支持部材３０と、支持部材３０を上下方向にスライドさせ、搭載面１１に対する支持部材３０の位置を固定するスライド機構とを備える。基板収納ラックを台盤１０に搭載するとともに、一方の板部材を支持部材３０に上方から当てることにより、基板収納ラックの一対の板部材の間隔を所望の間隔に調整する。【選択図】図１
2010225875.tif 000002
【特許請求の範囲】
【請求項１】
基板収納ラックを設定するための器具であって、
前記基板収納ラックは、
一対のベース部材と、
それぞれが一対のベース部材を跨ぐように設けられ、内面に基板端部を支持する複数の溝がそれぞれ形成された一対の板部材であって、少なくとも一方が、互いの間隔が可変するように前記ベース部材に対して第１の方向にスライド可能な一対の板部材と、を備えており、
当該器具は、
前記基板収納ラックを搭載し、調整の基準となる搭載面を含む台盤と、
スライド可能な一方の前記板部材を支持する支持部材であって、前記搭載面と平行に上下方向にスライドする支持部材と、
前記支持部材を前記上下方向にスライドさせ、前記搭載面に対する前記支持部材の位置を固定するスライド機構と、を備え、
前記基板収納ラックを前記台盤に搭載するとともに、前記一方の前記板部材を前記支持部材に上方から当てることにより、前記基板収納ラックの前記一対の板部材の間隔を所望の間隔に調整する、器具。
【請求項２】
請求項１において、前記支持部材は、左右方向において複数に分割されている、器具。
【発明の詳細な説明】
【技術分野】
【０００１】
本発明は、基板収納ラックを設定するための器具であって、基板収納ラックが備える一対の板部材の間隔を調整し、板部材を設定する際に好適に用いることができる器具に関するものである。
【背景技術】
【０００２】
従来、ガラス基板、ディスプレイ用基板、プリント配線板、セラミックス基板、合成樹脂板などの基板を収納するための基板収納ラックであって、内面に基板の端部を支持する複数の溝がそれぞれ形成された一対の板部材を備える基板収納ラックが知られている。基板収納ラックは、例えば、製造工程中、製造工程間の移送、保管、あるいは、その後の搬送などの様々なシチュエーションにおいて、基板を保持するために好適に使用されるものであり、基板は、基板収納ラックの一対の板部材の間に差し込まれることで、その端縁が溝に嵌って支持される。
【０００３】
特許文献１には、基板収納用のマガジンラックが開示されている。この基板収納用のマガジンラックでは、基板を装入して保持するための溝を持った金属の溝板が向かい合わせに配置されている。また、基板を装入する際に入りやすくするために、基板を溝板の溝に装入する際の装入口に相当する溝板の先端を、装入する基板に対して外側の方向に向かって曲げて傾斜部を設けている。
【０００４】
特許文献２には、板体収納ラックが開示されている。この板体収納ラックは、相対向する１対の上下面板と、上下面板間に間隔を設けて間置され複数の板体を係合するための板体係合部が内面方向に形成された板体保持用固定側板と、上下面板間に間置され板体保持用固定側板と対向する方向に移動自在で板体保持用固定側板の板体係合部と相対向する内面方向に板体係合部が形成された板体保持用移動側板とからなる。
【０００５】
また、この板体収納ラックは、板体保持用移動側板が上下面板に対して直交した垂直状態を保持しつつ板体保持用固定側板に対して平行状態を保持して移動するように、上下面板のそれぞれの対向面に、板体保持用移動側板の移動方向に沿って２本のラックギアが並列に設けられている。さらに、ラックギアと咬合するギアにおける上下または左右の相対向するギア同志は連結されている。また、板体保持用移動側板に固定されてなる回転軸が、板体保持用移動側板における板体保持用固定側板と反対面に２本並列して配設されている。
【０００６】
この板体収納ラックでは、板体保持用移動側板を押動し、２本の回転軸を連結部材を介して同期して回転させることにより、板体保持用移動側板が移動自在となる。これにより、この板体収納ラックは、収納保持する板体の幅径に合わせて、板体保持用移動側板と板体保持用固定側板との距離を調節できるようになっている。
【先行技術文献】
【特許文献】
【０００７】
【特許文献１】特開２００１−２４４３２３号公報（段落番号０００１〜０００６）
【特許文献２】特開２００２−８００８３号公報（段落番号０００１〜０００６）
【発明の概要】
【発明が解決しようとする課題】
【０００８】
特許文献１に記載の基板収納用のマガジンラックは、構造が簡単であるため、比較的安価で製造でき、しかも、構造的な不具合も起こり難いというメリットがある。
【０００９】
ところで、マガジンラック（基板収納ラック）は、一般に、収納する基板の大きさに合わせて、溝板の間隔を前もって調整し、溝板を設定（固定、位置合わせ）する必要がある。特許文献１に記載の基板収納用のマガジンラックにおいても、溝板を取り付けた側板を上板と下板に設けた長穴の範囲で移動させ、ネジを締めることで、収納する基板の大きさに合わせて、溝板の位置を所定の位置に合わせるようになっている。しかしながら、特許文献１に記載のマガジンラックでは、長穴に起因するがたつきなどがあり、２枚の溝板を精度よく互いに平行に設定することが難しい。
【００１０】
また、マガジンラック（基板収納ラック）は、一般に、基板がスムーズに収納でき、しかも、溝板の間隔が広すぎて落下するなどのトラブルがない程度に溝板の間隔を精度よく調整し、決めておく（設定する）必要がある。溝板の間隔が狭すぎると、基板が収納できなかったり、基板に傷をつけたり悪影響を及ぼす可能性もある。従来、溝板の幅の調整は、作業者の感覚に依存する部分が大きく、基板に悪影響を及ぼすケースも発生している。
【００１１】
さらに、プリント配線板などの基板には、微細な素子や配線が設けられているものもある。このような基板の場合、素子や配線が設けられている部分には触れず、端縁のごく狭い領域のみを支持できるように、側板は、複数の浅い溝が設けられた溝板になっているものが多い。複数の浅い溝を備えた溝板同士は、基板が落下せず、しかも、基板が傷つかない程度に２枚の溝板の間隔をより細かい精度で設定する必要がある。
【００１２】
このように、マガジンラック（基板収納ラック）において基板を支持する場合には、２枚の溝板を、互いに平行に、しかも、間隔を精度よく決めることが求められることがあるが、特許文献１に記載のマガジンラックでは、２枚の溝板を平行にするだけでも難しく、その上、これらの間隔を精度よく決めることが要求されると、２枚の溝板の調整がさらに困難となる。したがって、このような調整を、誰でも簡単に行うことができるようにという要望がある。
【００１３】
一方、特許文献２に記載の板体収納ラックは、２枚の側板を互いに平行に設定することを目的としているが機構が複雑であるため、その分、構造的な不具合が起こる可能性が高くなり、また、製造コストも嵩む。さらに、個々の収納ラックを、ラック毎に基板の寸法に合わせる作業、たとえば、側板を設定した間隔を計測したり、実際に基板を出し入れして基板の収納に適しているか否かを確認したりするなどの作業が必要になる。
【課題を解決するための手段】
【００１４】
本発明の一態様は、基板収納ラック（板体収納ラック、基板収納用のマガジンラック）を設定するための器具である。基板収納ラックは、一対のベース部材と、それぞれが一対のベース部材を跨ぐように設けられ、内面に基板端部を支持する複数の溝がそれぞれ形成された一対の板部材であって、少なくとも一方が、互いの間隔が可変するようにベース部材に対して第１の方向にスライド可能な一対の板部材とを備えている。当該器具は、基板収納ラックを搭載し、調整の基準となる搭載面を含む台盤と、基板収納ラックのスライド可能な一方の板部材を支持する支持部材であって、搭載面と平行に上下方向にスライドする支持部材と、支持部材を上下方向にスライドさせ、搭載面に対する支持部材の位置を固定するスライド機構とを備えている。当該器具は、基板収納ラックを台盤に搭載するとともに、基板収納ラックの一方の板部材を支持部材に上方から当てることにより、基板収納ラックの一対の板部材の間隔を所望の間隔に調整し、一対の板部材の間隔を所望の間隔に設定可能とする。
【００１５】
この器具によれば、事前に台盤の搭載面と支持部材との距離を所定の値に設定しておくことにより、基板収納ラックを台盤に搭載するとともに、一方の板部材を支持部材に上方から当てることにより、一対の板部材の間隔を所望の間隔に調整することができる。また、支持部材は調整の基準となる搭載面と平行であるため、基板収納ラックを台盤に搭載するとともに、一方の板部材を支持部材に上方から当てる（載せる）だけで、一対の板部材は互いに平行な位置関係となる。したがって、基板収納ラックの一対の板部材の間隔が所望の間隔に調整された後に、一方の板部材を、手動で、固定または位置決めすることにより、一対の板部材を所望の間隔に、さらに一対の板部材が平行になるように設定し易い。
【００１６】
したがって、この器具を用いることにより、構造が簡単で安価で製造できる基板収納ラックであっても、一対の板部材を、簡単に、互いに平行であって所望の間隔に精度よく設定することができる。この器具は、溝の浅い板部材を用いた基板収納ラックの調整にも好適である。すなわち、使用により溝を構成する凸部分が消耗したり擦り減っている部分があっても、支持部材が複数の溝にわたる、すなわち、板部材の少なくとも２０％程度の十分な面積を備えていれば、所定の高さの（摩耗や擦り減りのない、あるいは少ない）複数の凸部分に支持部材が当たり、一対の板部材の間隔をより精度良く設定できる。
【００１７】
さらに、この器具では、いったん支持部材と搭載面との間隔を所定の間隔にセットした後は、同じ型式およびサイズの基板収納ラックであれば、同じ基板を収納するように、多数の基板収納ラックの一対の板部材の間隔の調整および設定を同じ精度で設定できる。したがって、基板収納ラックを個々に測定したり、基板の出し入れを確認したりする作業を省略または簡略化し、基板収納ラックの設定作業に要する時間を短縮できる。
【００１８】
この器具において、支持部材は、左右方向において複数に分割されていることが好ましい。基板収納ラックは、保持する基板の大きさにより、様々なサイズのものが用意されることがある。支持部材を左右方向において複数に分割することにより、小さいサイズのものから大きいサイズのものまで、１つの器具で調整することができる。すなわち、一対のベース部材の間隔が小さいものは、より少ない数の分割された支持部材で支持すればよく、一対のベース部材の間隔が大きいものは、より多い数の分割された支持部材で支持すればよい。
【図面の簡単な説明】
【００１９】
【図１】本発明の一実施形態にかかる器具（マガジンラックの手動幅設定器）を台車に載せた状態で示す斜視図。
【図２】図１の器具を示す正面図。
【図３】図１の器具を示す背面図。
【図４】図１の器具を示す平面図。
【図５】図１の器具を示す底面図。
【図６】図１の器具を示す右側面図。
【図７】図１の器具を右側のガイド部材を取り外した状態で示す右側面図。
【図８】図１の器具に衝撃抑制用のゴム部材を取り付けた状態を示す斜視図。
【図９】図１の器具の内部構造を説明するための図であって、図１の器具の背面カバーを取り外した状態で示す背面図。
【図１０】図１の器具の内部構造を説明するための図であって、図１の器具を水平方向に沿って切断して示す断面図（横断面図）。
【図１１】図１の器具の内部構造を説明するための図であって、図１の器具を鉛直方向に沿って切断して示す断面図（縦断面図）。
【図１２】図１の器具を用いてマガジンラックを調整する状態を説明するための図であって、マガジンラックを器具に搭載する前の状態を示す縦断面図。
【図１３】図１の器具を用いてマガジンラックを調整する状態を説明するための図であって、マガジンラックを器具に搭載した状態を示す縦断面図。
【図１４】図１の器具を用いてマガジンラックを調整する状態を説明するための図であって、マガジンラックを器具に搭載した状態を示す正面図。
【図１５】図１の器具を用いて他のマガジンラックを調整する状態を説明するための図であって、他のマガジンラックを器具に搭載した状態を示す正面図。
【発明を実施するための形態】
【００２０】
以下、図面を参照して、本発明の実施形態について説明する。図１は、本発明の一実施形態にかかる器具を、台車に載せた状態で、斜視図において示している。図２は、図１の器具を正面図で示している。図３は、図１の器具を背面図で示している。図４は、図１の器具を平面図で示している。図５は、図１の器具を底面図で示している。図６は、図１の器具を右側面図で示している。なお、左側面図は、右側面図と同様にあらわれるため、図示を省略する。
【００２１】
さらに、図７は、図１の器具を、右側のガイド部材を取り外した状態で、右側面図において示している。図８は、図１の器具に衝撃抑制用のゴム部材を取り付けた状態を斜視図により示している。図９は、図１の器具の内部構造を説明するための図であって、図１の器具の背面カバーを取り外した状態で背面図により示している。図１０は、図１の器具の内部構造を説明するための図であって、図１の器具を水平方向に沿って切断した断面図（横断面図）で示している。図１１は、図１の器具の内部構造を説明するための図であって、図１の器具を鉛直方向に沿って切断した断面図（縦断面図）で示している。
【００２２】
図１の器具１は、基板収納ラック（板体収納ラック、基板収納用のマガジンラックともいう、以下、マガジンラックと称する）を調整および設定するための器具である。この器具１において好適に調整および設定できるマガジンラックは、例えば、特許文献１に記載のものを挙げることができる。
【００２３】
具体的には、この器具１において好適に調整できるマガジンラック９０は、ガラス基板、ディスプレイ用基板、プリント配線板、セラミックス基板、合成樹脂板などの基板を複数枚互いに平行に支持し、保持・収納することが可能なものであって、一対のベース部材（端板、端面板）９１ａおよび９１ｂと、一対の板部材（溝板）９２ａおよび９２ｂとを備えている（図１２ないし図１４参照）。
【００２４】
一対の板部材９２ａおよび９２ｂは、それぞれが一対のベース部材９１ａおよび９１ｂを跨ぐ（連結する、連絡する）ように設けられる。すなわち、一対の板部材９２ａおよび９２ｂと、一対のベース部材９１ａおよび９１ｂとが方形をなすように組み立てられており、外形が略ボックス状のマガジンラック９０を構成している。また、このマガジンラック９０が備える板部材９２ａは、器具１の後述する２つのフォーク部により支持される大きさを有している。
【００２５】
一対の板部材９２ａおよび９２ｂの内面には、それぞれ、複数の基板を差し入れできるように、複数のリブにより形成された基板の端部を支持するための複数の溝（図示せず）が形成されている。以下、板部材９２ａおよび９２ｂを、それぞれ、溝板９２ａおよび９２ｂと称する。
【００２６】
また、マガジンラック９０の一対の溝板９２ａおよび９２ｂのうちの一方の溝板９２ａは、一対の溝板９２ａおよび９２ｂの互いの間隔を変更することができるように、ベース部材９１ａおよび９１ｂに対して第１の方向にスライド可能となっている。
【００２７】
図１２ないし図１４に示したマガジンラック９０においては、溝板９２ａの両端にボルト状の突起部または爪（図示せず）が形成されているとともに、それぞれのベース部材９１ａおよび９１ｂに上記突起部が入り、スライドする２つの長穴９３（図１２および図１３参照）が形成されている。溝板９２ａの突起部が長穴９３に嵌った状態でこれに沿ってスライドすることにより、溝板９２ａはベース部材９１ａおよび９１ｂに対して第１の方向（長穴９３の長手方向）にスライドする。また、所望の位置で上記突起部をベース部材９１ａおよび９１ｂにナット９４（図１４参照）によって固定することにより、溝板９２ａはベース部材９１ａおよび９１ｂに固定される。なお、上記の機構は一例であり、溝板９２ａのスライド機構は、これに限定されるものではない。
【００２８】
この器具１は、溝板９２ａを所望の位置に手動で精度よく固定（位置決め、設定）するためのものである。この器具１を用いることにより、一対の溝板９２ａおよび９２ｂの間隔（幅）を容易に調整し、しかも、これらを互いに平行に設定することができる。以下、この器具１を、マガジンラックの手動幅設定器、または、単に幅設定器と称する。
【００２９】
なお、この幅設定器１において好適に調整できるマガジンラックは、一対の溝板９２ａおよび９２ｂのうちの少なくとも一方が、互いの間隔が可変するようにベース部材９１ａおよび９１ｂに対して第１の方向にスライド可能なものである。すなわち、この幅設定器１で調整するマガジンラックは、上記に限定されるものではなく、例えば、一対の溝板９２ａおよび９２ｂの双方が、互いの間隔が可変するようにベース部材９１ａおよび９１ｂに対して第１の方向にスライドするようなマガジンラックであってもよい。この幅設定器１を用いることにより、一対の溝板９２ａおよび９２ｂの双方がスライドするマガジンラックの一対の溝板９２ａおよび９２ｂの間隔を良好に調整できる。ただし、そのようなマガジンラックを複数個設定する場合は、全てのマガジンラックについて、他方の溝板を予めベース部材９１ａおよび９１ｂに対して共通する位置に固定しておくことが望ましい。たとえば、他方の溝板をスライド可能な限界位置にあらかじめ固定しておくことが望ましい。
【００３０】
この幅設定器１においてマガジンラック９０を調整する際、マガジンラック９０の溝板９２ａの位置は、作業者の腕の高さの近傍であると作業が行いやすい。また、この幅設定器１においてマガジンラック９０を調整する作業は、様々な場所で行われることがある。したがって、幅設定器１は、図１に示すように、台車１００などに搭載した状態で使用してもよい。幅設定器１を台車１００に搭載した状態とすると、幅設定器１の移動や持ち運びが容易となり、しかも、幅設定器１を作業者の作業しやすい高さに設置することができる。
【００３１】
図１ないし図１１に示すように、この幅設定器１は、マガジンラック９０を搭載する台盤１０と、台盤１０の後方に直立したハウジング２０と、ハウジング２０から前方へ水平に突出するように設けられた支持部材３０と、ハウジング２０の内部に収納されて支持部材３０を上下方向にスライドさせるスライド機構４０と、ハウジング２０の左右両側にそれぞれ固定された一対のガイド部材５０ａおよび５０ｂとを備えている。
【００３２】
台盤１０は、調整の基準となる搭載面（マガジンラック９０を搭載する面）１１を含んでいる。本例では、台盤１０の上面が搭載面１１となっている。台盤１０は、この幅設定器１のベースとなり、直立したハウジング２０を支持するとともに、マガジンラック９０の着脱の際に大きく移動しないことが望ましい。このため、台盤１０は比較的厚い板材を加工した重量物であることが望ましい。
【００３３】
本例の支持部材３０は、ハウジング２０から前方に全体として水平方向に延びる受け台であって、フォーク状に形成されている。支持部材３０は、マガジンラック９０のスライド可能な一方の溝板９２ａを支持するものであり、台盤１０の搭載面１１と平行な状態を維持しながら、上下方向にスライドするようになっている。また、本例の支持部材３０は、左右方向において、複数、例えば２つに分割されている。すなわち、本例の支持部材３０は、水平方向に延びる２つのフォーク状の腕部材（フォーク部材）３１ａおよび３１ｂを含んでおり、受け台が中央部分で分割されたように形成されている。２つのフォーク部材３１ａおよび３１ｂの後端の両側には、それぞれ、延出部３２が設けられている。
【００３４】
個々のフォーク部材３１ａおよび３１ｂは、溝板９２ａの内面に設けられた多数の溝（図示せず）の複数に接する幅（水平方向または左右方向の長さ）を備えていることが望ましい。たとえば、それぞれのフォーク部材３１ａおよび３１ｂは溝板９２ａの長手方向の長さの少なくとも２０％以上の幅を備えていることが望ましい。
【００３５】
ハウジング２０は、その前面を形成するとともに後方が開放しているボックス状のケース部材２１と、ケース部材２１の後方の開放部を閉塞する背面カバー２２とを含んでいる。ケース部材２１の前面には、２つのフォーク部材３１ａおよび３１ｂの後端の両側と対応する位置に、上下方向に延びる４つの開口部（スリット）２３が形成されている。上述のように、２つのフォーク部材３１ａおよび３１ｂの後端の両側には、それぞれ、延出部３２が設けられており、これら延出部３２は、４つの開口部２３を介してハウジング２０の内部に延びている。
【００３６】
図９ないし図１１に示すように、スライド機構４０は、搭載面１１に対して垂直であってケース部材２１の前面と平行となるようにハウジング２０の内部に設けられた略板状の部分を有する架橋部材４１と、架橋部材４１の上部中央に固定されたナット部材４２と、ハウジング２０の内部の略中央において上下方向に延びるねじ軸４３と、ねじ軸４３を回転させるためにねじ軸４３の上端に設けられたハンドル４４と、架橋部材４１の左右にそれぞれ設けられた一対のスライダ４５ａおよび４５ｂと、一対のスライダ４５ａおよび４５ｂとそれぞれ対応するようにハウジング２０の内部の左右にそれぞれ設けられた一対のスライド軸４６ａおよび４６ｂと、ハンドル４４の動きを固定するためのロック機構４７とを含んでいる。
【００３７】
スライド機構４０は、ハンドル４４およびロック機構４７を除き、ハウジング２０の内部に収容されている。ハンドル４４は、ハウジング２０の上面から外部に突出し、外部から操作できるようになっている。ロック機構４７もまた、外部から操作できるように、ハウジング２０の上部に設けられている。本例では、ロック機構４７は、ハンドル４４と隣接する位置に設けられている。ハンドル４４は、ロック機構４７を９０度回転させることにより、その動きが固定されるようになっている。
【００３８】
図９に示すように、ねじ軸４３の上端とスライド軸４６ａおよび４６ｂの上端とは、それぞれ、ハウジング２０の上部に固定されている。また、図５に示すように、ねじ軸４３の下端とスライド軸４６ａおよび４６ｂの下端は、それぞれ、台盤１０を貫通するように下方に延びており、台盤１０に固定されている。これらの固定により、ねじ軸４３とスライド軸４６ａおよび４６ｂとがそれぞれその位置に固定されるとともに、台盤１０とハウジング２０とが接続されている。
【００３９】
支持部材３０の２つのフォーク部材３１ａおよび３１ｂがそれぞれ備える延出部３２は、開口部２３を介してハウジング２０の内部に延びている。４つの延出部３２のうちの内側の２つは、ハウジング２０の内部において、断面Ｌ字型の金具により、架橋部材４１に固定されている。すなわち、支持部材３０（２つのフォーク部材３１ａおよび３１ｂ）は、架橋部材４１に支持されている。また、４つの延出部３２のうちの外側の２つは、それぞれ、断面Ｌ字型の金具により、架橋部材４１に固定されているとともにスライダ（スライド部材）４５ａおよび４５ｂに取り付けられ、架橋部材４１とスライド部材４５ａおよび４５ｂとを連結する機能を果たしている（図１０参照）。
【００４０】
架橋部材４１の上部は、後方に水平に延びるように折り曲げられ、水平張出部４１ａとなっている。このため、架橋部材４１の全体的な断面はコ字型またはＬ字型となっており、歪みなどが発生しにくい。架橋部材４１の張出部４１ａの上部中央には、内面にねじ溝が形成されたナット部材４２が固定されている。このナット部材４２は、ねじ軸４３と螺合している。このため、ハンドル４４を使ってねじ軸４３を回転させることにより、支持部材３０（２つのフォーク部材３１ａおよび３１ｂ）は、ナット部材４２および架橋部材４１とともに、ねじ軸４３に沿って上下方向に移動する。
【００４１】
さらに、架橋部材４１の両端は、ハウジング２０の内部の左右において、上下方向に延びるように設けられた一対のスライド軸４６ａおよび４６ｂを上下にスライドするスライダ４５ａおよび４５ｂに連結されている。したがって、架橋部材４１の両端は、スライド軸４６ａおよび４６ｂに沿って並列に上下に動き、架橋部材４１が上下にスライドするときに、架橋部材４１の姿勢、特に、水平方向の姿勢が一定に、変わらずに保持されるようになっている。すなわち、架橋部材４１は、上下方向の断面構造が前後にリブが設けられたＣチャンネルまたはＬチャンネルと同様に歪みが発生しにくい構成であり、さらに、中央のねじ軸４３と、両端のスライド軸４６ａおよび４６ｂに沿って上下に移動する。このため、ハウジング２０の内部で上下にスライドする架橋部材４１の姿勢は極めて安定しており、前後左右に傾きや歪みが発生しにくい構成となっている。したがって、この架橋部材４１に４つの延出部３２により取り付けられた支持部材３０の２つのフォーク部材３１ａおよび３１ｂは、架橋部材４１とともに、安定した姿勢で上下にスライドする。このため、フォーク部材３１ａおよび３１ｂを上下にスライドさせたときに、フォーク部材３１ａおよび３１ｂと、台盤１０の搭載面１１との平行な関係は維持される。すなわち、搭載面１１に対する支持部材３０の水平状態が良好に保たれ、支持部材３０と搭載面１１との間隔は、支持部材３０の左右でほとんど変わることがない。
【００４２】
このように、この幅設定器１では、ハウジング２０の内部に設けられたスライド機構４０により支持部材３０を支持する架橋部材４１の水平な姿勢の安定性が担保される。このため、支持部材３０を上下方向にスライドさせたときに、搭載面１１に対する支持部材３０の位置を、平行な状態を保ったままで自在に変更できる。それとともに、ねじ軸４３の回転を止めることにより、支持部材３０の上下方向の位置を固定することができる。
【００４３】
すなわち、ハンドル４４を回すと、ねじ軸４３が回転し、これに伴い、ナット部材４２が上下動する。これにより、ナット部材４２が固定されている架橋部材４１およびこの架橋部材４１に固定されている支持部材３０もまた、上下動する。ハンドル４４を停止し、ロック機構４７によりハンドル４４を固定することにより、架橋部材４１および支持部材３０は、それぞれ、その位置で固定される。なお、上記のスライド機構４０は、支持部材３０を平行な姿勢を保って上下方向にスライドさせるとともに、搭載面１１に対する支持部材３０の位置を固定できる機構として好適な一例であるが、同様の機構であればよく、上記に限定されるものではない。
【００４４】
図８は、図１の幅設定器１に衝撃抑制用のゴム部材６０を取り付けた状態を斜視図により示している。この幅設定器１には、マガジンラック９０を搭載する際にマガジンラック９０に与えられる衝撃を抑制するために、ハウジング２０の前面の全部または一部や、ガイド部材５０ａおよび５０ｂの内面の全部または一部に、衝撃抑制用のゴム部材６０を貼り付けてもよい。なお、ガイド部材５０ａおよび５０ｂやゴム部材６０は、省略することも可能である。ハウジング２０の両端から前方に水平視でＬ字型に突き出たガイド部材５０ａおよび５０ｂは、マガジンラック９０のベース部材（端面板）９１ａおよび９１ｂをガイドするものであり、マガジンラック９０の中心と、ハウジング２０の中心とを一致させ、ベース部材（端面板）９１ａおよび９１ｂがフォーク部材３１ａおよび３１ｂと干渉してフォーク部材３１ａおよび３１ｂの姿勢や高さが変わってしまうことを未然に防止できる。
【００４５】
次に、幅設定器１を用いたマガジンラック９０の調整方法を説明する。図１２は、図１の幅設定器１を用いてマガジンラック９０を調整する状態を説明するための図であって、マガジンラック９０を幅設定器１に搭載する前の状態を縦断面図により示している。図１３は、図１の幅設定器１を用いてマガジンラック９０を調整する状態を説明するための図であって、マガジンラック９０を幅設定器１に搭載した状態を縦断面図により示している。図１４は、図１の幅設定器１を用いてマガジンラック９０を調整する状態を説明するための図であって、マガジンラック９０を幅設定器１に搭載した状態を正面図により示している。
【００４６】
まず、図１２に示すように、幅設定器１のハンドル４４を操作し、支持部材３０と搭載面１１との間隔を、設定したい溝板９２ａと溝板９２ｂとの間隔に相当する所望の間隔にセットする。セット後は、ロック機構４７によりハンドル４４をロックする。マガジンラック９０に収納する基板の寸法に基づいて支持部材３０の高さ（支持部材３０と搭載面１１との間隔）をセットしてもよく、また、基板を収納するのに適した寸法にあらかじめ設定された、基準となるマガジンラック９０を用いて支持部材３０と搭載面１１との間隔をセットしてもよい。
【００４７】
設定対象のマガジンラック９０においては、ナット９４を外して溝板９２ａをスライド可能な状態とし、溝板９２ａと溝板９２ｂとの間隔を少し広めにする。なお、溝板９２ａおよび溝板９２ｂの両方がスライドするマガジンラックを調整する場合には、いずれか一方はあらかじめ適当な位置に固定しておく。
【００４８】
図１３および図１４に示すように、設定対象のマガジンラック９０を搭載面１１に搭載し、スライドできる方の溝板９２ａを下げながら、支持部材３０の上に載せる（上方から当てる）。この際、支持部材３０と搭載面１１との関係は上下の関係であることから、溝板９２ａのスライド方向（第１の方向）も上下方向となる。したがって、溝板９２ａは、手で動かしたりしなくても、自重により支持部材３０に載る（落下する）。溝板９２ａを手で強い力で押したり引いたりしなくても、溝板９２ａが支持部材３０に載るようにすることにより所定の間隔に設定できる。このため、溝板９２ａの設定に要する労力の軽減を図れるとともに、マガジンラック９０の消耗を抑制できる。また、支持部材３０に加わる負荷も低減できるので支持部材３０の位置の狂いも発生しにくく、多数のマガジンラック９０を連続して設定できる。
【００４９】
上述のように、本例のマガジンラック９０が備える溝板９２ａは、幅設定器１の２つのフォーク部材３１ａおよび３１ｂにわたる大きさを有している。このため、一方の溝板９２ａは、支持部材３０のフォーク部材３１ａおよび３１ｂにより、台盤１０の搭載面１１に対して平行に支持される。他方の溝板９２ｂは、搭載面１１に搭載され、または、搭載面１１に搭載されたベース部材９１ａおよび９１ｂにより搭載面１１に対して平行になっている。したがって、溝板９２ａと溝板９２ｂは平行になり、しかも、溝板９２ａと溝板９２ｂとの間隔は、支持部材３０と搭載面１１との間隔に相当する間隔に調整される。その後、ナット９４を締めることにより、溝板９２ａはベース部材９１ａおよび９１ｂに固定される。このため、溝板９２ａと溝板９２ｂとを平行に、しかも、溝板９２ａと溝板９２ｂとの間隔が所定の値になるように設定できる。
【００５０】
幅設定器１に対してマガジンラック９０を搭載する方法は、上記に限られない。先に、マガジンラック９０の移動可能な溝板９２ａを、支持部材３０に載せ、その状態でマガジンラック９０を台盤１０の搭載面１１に載せるようにしてもよい。この場合、支持部材３０により、溝板９２ａは相対的に引き上げられ、溝板９２ｂに対する位置が所定の状態に設定される。
【００５１】
以上のような作業により、誰でも簡単に、マガジンラック９０の溝板９２ａおよび９２ｂ同士を、互いに平行であって、その間隔が所望の間隔となった状態に調整することができる。さらに、幅設定器１によれば、いったん支持部材３０と搭載面１１との間隔を所定の間隔にセットしたら、同じタイプおよびサイズのマガジンラック９０であれば、同じ基板を収納するように、この後、多数のマガジンラック９０を同じ精度で短時間に調整することができる。
【００５２】
なお、本例において、溝板９２ａと溝板９２ｂとの間隔が支持部材３０と搭載面１１との間隔に相当する間隔となるとは、必ずしもこれらが等しくなることを意味するものではない。マガジンラック９０は、典型的には、ベース部材９１ａおよび９１ｂの端が搭載面１１に接触する姿勢で搭載面１１に搭載される。ベース部材９１ａおよび９１ｂに対する溝板９２ｂの位置は一義的に決まるので、支持部材３０と搭載面１１との間隔は、溝板９２ａと溝板９２ｂとの間隔に対応し、支持部材３０と搭載面１１とにより溝板９２ａおよび９２ｂの間隔を精度よく設定できる。
【００５３】
図１５は、図１の幅設定器１を用いて他のマガジンラック９０ａを調整する状態を説明するための図であって、他のマガジンラック９０ａを幅設定器１に搭載した状態を正面図により示している。
【００５４】
このマガジンラック９０ａは、上記のマガジンラック９０の半分の大きさを有している。すなわち、このマガジンラック９０ａが備える溝板９２ａは、幅設定器１の１つ（一方）のフォーク部材よりも若干大きく形成されており、１つのフォーク部材により好適に搭載される大きさを有している。この幅設定器１は、支持部材３０が２つのフォーク部材３１ａおよび３１ｂに分割されているため、このように小型のマガジンラック９０を調整する場合にも、フォーク部材３１ａまたは３１ｂの一方を用いて好適に調整することができる。
【００５５】
以上のように、このマガジンラックの幅設定器１によれば、マガジンラック９０を台盤１０に搭載するとともに、一方の溝板９２ａを支持部材３０に載せる（上方から当てる）ことにより、一対の溝板９２ａおよび９２ｂの間隔を所望の間隔に精度よく調整することができる。また、支持部材３０は調整の基準となる搭載面１１と平行であるため、マガジンラック９０を台盤１０に搭載し、一方の溝板９２ａを支持部材３０に上方から当てるだけで、一対の溝板９２ａおよび９２ｂを互いに平行に調整することができる。
【００５６】
したがって、このマガジンラックの幅設定器１によれば、一対のベース部材９１ａおよび９１ｂと一対の溝板９２ａおよび９２ｂとからなるマガジンラック９０および９０ａのような、構造が簡単で安価で製造できるマガジンラックであっても、溝板９２ａを、誰でも簡単に、溝板９２ｂと平行であって、これらの間隔を所望の間隔に精度よく設定することができる。
【００５７】
また、このマガジンラックの幅設定器１によれば、支持部材３０が左右方向に複数に分割されているため、様々なサイズのマガジンラック（一対のベース部材９１ａおよび９１ｂの幅が異なるマガジンラック）であっても、良好に溝板９２ａおよび９２ｂの間隔を調整することができる。
【００５８】
なお、本発明の器具（幅設定器）を、様々な大きさのマガジンラックに対応させるためには、支持部材３０を少なくとも２つに分割することが好ましいことは、上述のとおりである。本例では、支持部材３０を２つに分割しているが、支持部材３０を３つ以上に分割してもよい。だたし、調整するマガジンラックの大きさがある程度決まっているような場合などでは、必ずしも、支持部材３０を分割する必要はない。
【符号の説明】
【００５９】
１  器具（マガジンラックの手動幅設定器）
１０  台盤、  １１  搭載面
３０  支持部材、  ４０  スライド機構
９０、９０ａ  基板収納ラック（マガジンラック）
９１ａ、９１ｂ  ベース部材、  ９２ａ、９２ｂ  板部材（溝板）
【図１】
2010225875.tif 000003
【図２】
2010225875.tif 000004
【図３】
2010225875.tif 000005
【図４】
2010225875.tif 000006
【図５】
2010225875.tif 000007
【図６】
2010225875.tif 000008
【図７】
2010225875.tif 000009
【図８】
2010225875.tif 000010
【図９】
2010225875.tif 000011
【図１０】
2010225875.tif 000012
【図１１】
2010225875.tif 000013
【図１２】
2010225875.tif 000014
【図１３】
2010225875.tif 000015
【図１４】
2010225875.tif 000016
【図１５】
2010225875.tif 000017